(57)【要約】【課題】低年齢者であっても組み立てや操作が簡単な帽子型被り面及び帽子型被り面の装飾システムを提供する。【解決手段】シート１に記載された展開図を切り抜き折り込むことで、鼻１３が突出した顔部１１と２つの耳１４Ａ，１４Ｂが突出した頭部１２からなるキャラクターが立体形成される帽子型被り面１０で、シート１には、キャラクターの展開図の外郭に沿った切り抜き線２１が記載され、耳１４Ａ，１４Ｂの位置には、前後に延びる１本の耳用谷折り線２２Ａ，２２Ｂと２本の耳用山折り線２３Ａ，２３Ｂ，２４Ａ，２４Ｂからなる２つの耳用三角形４１，４２が耳用谷折り線２２Ａ，２２Ｂを内側にして記載され、鼻１３の位置には、左右に延びる１本の鼻用谷折り線２５と２本の鼻用山折り線２６，２７からなる１つの鼻用三角形４３が鼻用谷折り線２５を頭部１２側にして記載されている。【選択図】図３
2015142689.tif 000002
【特許請求の範囲】
【請求項１】
一枚のシートに記載されたアニメ登場者又は動物のキャラクターの展開図を切り抜き折り込むことで、少なくとも鼻が突出した顔部と左右２つの耳が突出した頭部からなる前記キャラクターが立体形成される帽子型被り面であって、
前記シートには、
前記キャラクターの展開図の外郭に沿った切り抜き線が記載されるとともに、前記頭部の耳の位置には、前後に延びる１本の耳用谷折り線と２本の耳用山折り線からなる２つの耳用三角形が前記耳用谷折り線を内側にした状態で離して記載され、前記顔部の鼻の位置には、左右に延びる１本の鼻用谷折り線と２本の鼻用山折り線からなる１つの鼻用三角形が前記鼻用谷折り線を前記頭部側にした状態で記載されていることを特徴とする帽子型被り面。
【請求項２】
前記頭部は頭頂部と後頭部からなるとともに、前記顔部には額が形成され、
前記頭頂部は、前記顔部の額との境界となる頭頂部前側山折り線と、前記後頭部との境界となる頭頂部後側山折り線と、前記２つの耳用三角形を形成する２本の耳用谷折り線で囲まれてなる四角形であり、
前記額は、前記頭頂部前側山折り線と、前記１つの鼻用三角形を形成する鼻用谷折り線と、前記頭頂部前側山折り線と前記鼻用谷折り線の端部同士を結んだ額用山折り線で囲まれてなる四角形であることを特徴とする請求項１に記載の帽子型被り面。
【請求項３】
前記切り抜き線のうち前記２つの耳用三角形の左右外側に形成されたものは、前記２本の耳用山折り線の交点を屈曲点として左右外側に向かって拡開する略Ｖ字形状の切り抜き線であり、
前記１つの鼻用三角形の前側外側に形成されたものは、前記２本の鼻用山折り線の交点を屈曲点として前側外側に向かって拡開する略Ｖ字形状の切り抜き線であり、
前記略Ｖ字形状の拡開した部分を閉じることによって立体化されることを特徴とする請求項２に記載の帽子型被り面。
【請求項４】
前記キャラクターが立体形成されたとき、前記顔部において額と鼻を除いた部分及び前記後頭部は外側に向かって膨出湾曲した曲面になることを特徴とする請求項１乃至３のうちいずれか一つに記載の帽子型被り面。
【請求項５】
前記請求項１乃至４のうちいずれか一つに記載の帽子型被り面に装飾を施す装飾システムであって、
前記一枚のシートに記載されるキャラクターの展開図を画面上に表示させる表示処理部と、
前記表示された展開図を複数の領域毎に仕切って表示させる領域表示部と、
複数の色から一つの色を選択することができる色選択部と、
前記領域表示部で表示された複数の領域から選択された一つの領域に対応して前記色選択部で一つの色が選択されると、前記選択された一つの領域の元の色を前記選択された一つの色に変更して前記画面上に表示させる色彩編集処理部と、及び、
前記色彩編集処理部によって前記展開図を変更した後の更新展開図を、前記一枚のシートに印刷して出力する出力装置を備えることを特徴とする帽子型被り面の装飾システム。
【請求項６】
前記色彩編集処理部は、前記領域表示部で表示された複数の領域から選択された一つの領域に対してクリックの回数に対応して、前記複数の色の中から異なる色を自動的に選択して、前記選択された一つの領域の元の色を前記自動的に選択された色に変更して前記画面上に表示させることを特徴とする請求項５に記載の帽子型被り面の装飾システム。
【請求項７】
前記請求項１乃至４のうちいずれか一つに記載の帽子型被り面に装飾を施す装飾システムであって、
前記一枚のシートに記載されるキャラクターの展開図を画面上に表示させる表示処理部と、
複数の模様から一つの模様を選択することができる模様選択部と、
前記表示された展開図において指定された位置に、前記模様選択部で選択された一つの模様を付けて前記画面上に表示させる模様編集処理部と、及び、
前記模様編集処理部によって前記展開図を変更した後の更新展開図を、前記一枚のシートに印刷して出力する出力装置を備えることを特徴とする帽子型被り面の装飾システム。
【請求項８】
前記請求項１乃至４のうちいずれか一つに記載の帽子型被り面に装飾を施す装飾システムであって、
前記一枚のシートに記載されるキャラクターの展開図を画面上に表示させる表示処理部と、
前記キャラクターの立体図に関する、色彩及び模様の異なる複数のサンプル画像を前記画面上に表示させるサンプル表示処理部と、
前記複数のサンプル画像から一つのサンプル画像を選択することができる模様選択部と、
前記複数のサンプル画像のうち一つのサンプル画像が前記サンプル画像選択部で選択されると、前記表示処理部によって表示された展開図を前記選択されたサンプル画像の展開図に変更して前記画面上に表示させるサンプル編集処理部と、及び、
前記サンプル編集処理部によって変更した後の更新展開図を、前記一枚のシートに印刷して出力する出力装置を備えることを特徴とする帽子型被り面の装飾システム。
【請求項９】
前記表示処理部は、前記更新展開図から前記帽子型被り面の立体図を作成して前記画面上に前記更新展開図とともに表示させることを特徴とする請求項５乃至８のうちいずれか一つに記載の帽子型被り面の装飾システム。
【発明の詳細な説明】
【技術分野】
【０００１】
本発明は、帽子型被り面及び帽子型被り面の装飾システムに関する。より詳細には、一枚のシートに記載されたアニメ登場者又は動物のキャラクターの展開図を切り抜きそして折り込むことで立体形成される切り帽子型被り面及びその帽子型被り面に色彩や模様をあしらう装飾システムに関するものである。
【背景技術】
【０００２】
従来から、一枚の紙から造形物をつくる工作キットは存在していた（例えば、特許文献１乃至４参照）。
【先行技術文献】
【特許文献】
【０００３】
【特許文献１】登録実用新案第３１４１６７０号公報
【特許文献２】特開２００６−３０５２０７号公報
【特許文献３】特開２００２−２３９２６２号公報
【特許文献４】登録実用新案第３１２０７７９号公報
【０００４】
特許文献１には、一枚のカードに動物のフィギュアに関する頭部と、尻部と、胴体・首・足・口鼻部分を一体化したものといった３つのパーツに分けたものを配置して切り抜き後に立体的に組み立て可能にしたものが記載されている。
特許文献２には、幼児用学習本に関する発明ではあるが、一枚のクラフトペーパーに人を含む動植物や擬人化した図柄が表記されていて切り取った後に立体的に組み立てられるものが記載されている。
【０００５】
また、特許文献３には、動物や恐竜等のキャラクターの展開図と立体完成図が描かれた画像がプリントアウトされ、その後、折り曲げ加工することによって立体像を作成することができる旨が記載されている。
さらに、特許文献４には、一枚の台紙で箱体を組み立て構成し、その各面を形成している壁板からその一部を切り起こすことにより動物等を具現化したものが記載されている。
【発明の概要】
【発明が解決しようとする課題】
【０００６】
しかしながら、特許文献１及び２に記載されたものは、動物等のキャラクターを構成するものが分離した状態でカード等に記載され、それらを切り抜いた後に組み立てていくものであるので、例えば幼児など低年齢者にとって組み立てることが困難であったり、組み立ての際に分離されたパーツがなくなるおそれもある。
【０００７】
これに対して、特許文献３及び４に記載されたものは、パーツを分離させることなく折り曲げることによって立体的に組み立てられるものではあるが、帽子のように頭に被るものではない。また、特許文献４に記載されたものは、一部を切り起こす部分があるなど構成が複雑であり、切り込みにははさみではなくカッターを使用する必要があるので低年齢者にとっては不向きである。
さらに特許文献３には、色彩を変更することができる旨の記載があるが、これは展開図全体の色彩に関してのことであり選択された領域毎に異なる色彩を施すことについての記載はない。また、色彩の変更についてもパソコンの操作に精通している者が行う場合には問題はないが、低年齢者には困難である。
【０００８】
そこで、本発明の目的とするところは、低年齢者であっても組み立てや操作が簡単な帽子型被り面及び帽子型被り面の装飾システムを提供することにある。
【課題を解決するための手段】
【０００９】
上記の目的を達成するために、本発明の請求項１に記載の帽子型被り面は、一枚のシート（１）に記載されたアニメ登場者又は動物のキャラクターの展開図を切り抜き折り込むことで、少なくとも鼻（１３）が突出した顔部（１１）と左右２つの耳（１４Ａ，１４Ｂ）が突出した頭部（１２）からなる前記キャラクターが立体形成される帽子型被り面（１０）であって、
前記シート（１）には、
前記キャラクターの展開図の外郭に沿った切り抜き線（２１）が記載されるとともに、前記頭部（１２）の耳（１４Ａ，１４Ｂ）の位置には、前後に延びる１本の耳用谷折り線（２２Ａ，２２Ｂ）と２本の耳用山折り線（２３Ａ，２３Ｂ，２４Ａ，２４Ｂ）からなる２つの耳用三角形（４１，４２）が前記耳用谷折り線（２２Ａ，２２Ｂ）を内側にした状態で離して記載され、前記顔部（１１）の鼻（１３）の位置には、左右に延びる１本の鼻用谷折り線（２５）と２本の鼻用山折り線（２６，２７）からなる１つの鼻用三角形（４３）が前記鼻用谷折り線（２５）を前記頭部（１２）側にした状態で記載されていることを特徴とする。
【００１０】
また、請求項２に記載の帽子型被り面は、前記頭部（１２）は頭頂部（１２Ａ）と後頭部（１２Ｂ）からなるとともに、前記顔部（１１）には額（１１Ａ）が形成され、
前記頭頂部（１２Ａ）は、前記顔部（１１）の額（１１Ａ）との境界となる頭頂部前側山折り線（２８）と、前記後頭部（１２Ｂ）との境界となる頭頂部後側山折り線（２９）と、前記２つの耳用三角形（４１，４２）を形成する２本の耳用谷折り線（２２Ａ，２２Ｂ）で囲まれてなる四角形であり、
前記額（１１Ａ）は、前記頭頂部前側山折り線（２８）と、前記１つの鼻用三角形（４３）を形成する鼻用谷折り線（２５）と、前記頭頂部前側山折り線（２８）と前記鼻用谷折り線（２５）の端部同士を結んだ額用山折り線（３０，３１）で囲まれてなる四角形であることを特徴とする。
【００１１】
また、請求項３に記載の帽子型被り面は、前記切り抜き線（２１）のうち前記２つの耳用三角形（４１，４２）の左右外側に形成されたものは、前記２本の耳用山折り線（２３Ａ，２３Ｂ，２４Ａ，２４Ｂ）の交点を屈曲点（４４Ａ，４４Ｂ）として左右外側に向かって拡開する略Ｖ字形状の切り抜き線（２１）であり、
前記１つの鼻用三角形（４３）の前側外側に形成されたものは、前記２本の鼻用山折り線（２６，２７）の交点を屈曲点（４５）として前側外側に向かって拡開する略Ｖ字形状の切り抜き線（２１）であり、
前記略Ｖ字形状の拡開した部分を閉じることによって立体化されることを特徴とする。
【００１２】
また、請求項４に記載の帽子型被り面は、前記キャラクターが立体形成されたとき、前記顔部（１１）において額（１１Ａ）と鼻（１３）を除いた部分及び前記後頭部（１２Ｂ）は外側に向かって膨出湾曲した曲面になることを特徴とする。
【００１３】
また、請求項５に記載の帽子型被り面の装飾システムは、前記請求項１乃至４のうちいずれか一つに記載の帽子型被り面に装飾を施す装飾システムであって、
前記一枚のシート（１）に記載されるキャラクターの展開図を画面（１０１）上に表示させる表示処理部（１００）と、
前記表示された展開図を複数の領域毎に仕切って表示させる領域表示部（１００）と、
複数の色から一つの色を選択することができる色選択部（１０２）と、
前記領域表示部（１００）で表示された複数の領域から選択された一つの領域に対応して前記色選択部（１０２）で一つの色が選択されると、前記選択された一つの領域の元の色を前記選択された一つの色に変更して前記画面（１０１）上に表示させる色彩編集処理部（１００）と、及び、
前記色彩編集処理部（１００）によって前記展開図を変更した後の更新展開図を、前記一枚のシート（１）に印刷して出力する出力装置（１０４）を備えることを特徴とする。
【００１４】
また、請求項６に記載の帽子型被り面の装飾システムは、前記色彩編集処理部（１００）は、前記領域表示部（１００）で表示された複数の領域から選択された一つの領域に対してクリックの回数に対応して、前記複数の色の中から異なる色を自動的に選択して、前記選択された一つの領域の元の色を前記自動的に選択された色に変更して前記画面（１０１）上に表示させることを特徴とする。
【００１５】
また、請求項７に記載の帽子型被り面の装飾システムは、前記請求項１乃至４のうちいずれか一つに記載の帽子型被り面に装飾を施す装飾システムであって、
前記一枚のシート（１）に記載されるキャラクターの展開図を画面（１０１）上に表示させる表示処理部（１００）と、
複数の模様から一つの模様を選択することができる模様選択部（１０２）と、
前記表示された展開図において指定された位置に、前記模様選択部（１０２）で選択された一つの模様を付けて前記画面（１０１）上に表示させる模様編集処理部（１００）と、及び、
前記模様編集処理部（１００）によって前記展開図を変更した後の更新展開図を、前記一枚のシート（１）に印刷して出力する出力装置（１０４）を備えることを特徴とする。
【００１６】
また、請求項８に記載の帽子型被り面の装飾システムは、前記請求項１乃至４のうちいずれか一つに記載の帽子型被り面に装飾を施す装飾システムであって、
前記一枚のシート（１）に記載されるキャラクターの展開図を画面（１０１）上に表示させる表示処理部（１００）と、
前記キャラクターの立体図に関する、色彩及び模様の異なる複数のサンプル画像（１１０）を前記画面（１０１）上に表示させるサンプル表示処理部（１００）と、
前記複数のサンプル画像（１１０）から一つのサンプル画像を選択することができるサンプル画像選択部（１０２）と、
前記複数のサンプル画像（１１０）のうち一つのサンプル画像（１１０）が前記サンプル画像選択部（１０２）で選択されると、前記表示処理部（１００）によって表示された展開図を前記選択されたサンプル画像（１１０）の展開図に変更して前記画面（１０１）上に表示させるサンプル編集処理部（１００）と、及び、
前記サンプル編集処理部（１００）によって変更した後の更新展開図を、前記一枚のシート（１）に印刷して出力する出力装置（１０４）を備えることを特徴とする。
【００１７】
また、請求項９に記載の帽子型被り面の装飾システムは、前記表示処理部（１００）は、前記更新展開図から前記帽子型被り面の立体図を作成して前記画面（１０１）上に前記更新展開図とともに表示させることを特徴とする。
【００１８】
なお、上記括弧内の記号は、図面および後述する発明を実施するための形態に掲載された対応要素または対応事項を示す。
【発明の効果】
【００１９】
本発明の帽子型被り面によれば、一枚のシートには、アニメ登場者又は動物のキャラクターの展開図の外郭に沿った切り抜き線が記載されるとともに、頭部の耳の位置には、前後に延びる１本の耳用谷折り線と２本の耳用山折り線からなる２つの耳用三角形が耳用谷折り線を内側にした状態で離して記載され、顔部の鼻の位置には、左右に延びる１本の鼻用谷折り線と２本の鼻用山折り線からなる１つの鼻用三角形が鼻用谷折り線を頭部側にした状態で記載されているので、シートからキャラクターを切り抜き線に沿ってはさみで切り抜いた後、谷折り線及び山折り線にしたがって折り曲げ、必要な部分を接着剤やステープラあるいはテープなどで固定するだけで両耳と鼻が突出した形状のキャラクターからなる帽子型被り面を、例え低年齢者であっても簡単に組立てることができる。また、キャラクターのパーツが従来例で示したように特に分離されたものではないので、構造が簡単でしかもパーツを紛失することもない。
【００２０】
また本発明によれば、谷折り線及び山折り線によって頭部の頭頂部と後頭部と、さらに顔部の額を明確に仕切るようにしたので、キャラクターをより細密に表現することができる。
【００２１】
また本発明によれば、２つの耳側にそれぞれ略Ｖ字形状の切り抜き線を設けるとともに、鼻側にも略Ｖ字形状の切り抜き線を設け、略Ｖ字形状の拡開した部分を閉じることによって立体化するようにしたので、立体化の仕組みも非常に簡単で誰でも短時間に工作することができる。
【００２２】
また本発明によれば、キャラクターが立体形成されたとき、顔部において額と鼻を除いた部分及び後頭部は外側に向かって膨出湾曲した曲面になるようにしたので、見栄えがよくしかも被りやすい。
【００２３】
また、本発明の帽子型被り面の装飾システムによれば、一枚のシートに記載されるキャラクターの展開図を画面上に表示させて仕切られた領域の色を選択された色に変更して表示するとともにプリントアウトできるようにしたので、容易に様々な色彩でキャラクターを仕上げることができる。
【００２４】
また本発明によれば、表示された複数の領域から選択された一つの領域に対してクリックの回数に対応して、複数の色の中から異なる色を自動的に選択して、選択された一つの領域の元の色を自動的に選択された色に変更して表示するようにしたので、展開図上の領域だけをマウスなどでクリックするだけで異なる色彩を施すことができ、操作は非常に簡単である。
【００２５】
また、本発明によれば、一枚のシートに記載されるキャラクターの展開図を画面上に表示させて指定された位置に、選択された模様を付けて表示するとともにプリントアウトできるようにしたので、例えば、複数通り用意した、目，鼻，口，ひげなどの形状やハート型，星型といった装飾用模様の中から好みのものを選択することができ装飾性が高まる。
【００２６】
また本発明によれば、キャラクターの立体図に関する、色彩及び模様の異なる複数のサンプル画像を画面上に表示し、複数のサンプル画像から一つのサンプル画像が選択されると、表示された展開図を選択されたサンプル画像の展開図に変更して画面上に表示するとともにプリントアウトするようにしたので、極めて短時間に帽子型被り面を製作することできる。
【００２７】
また本発明によれば、更新された展開図から帽子型被り面の立体図を作成して画面上に更新展開図とともに表示するようにしたので、完成したときの帽子型被り面を予想しながら形状や模様といったデザインを施すことができ便利である。
【００２８】
このようにして作られる帽子型被り面は、上述した特許文献１乃至４には全く記載されていない。
【図面の簡単な説明】
【００２９】
【図１】本発明の実施形態に係る帽子型被り面の展開図が記載されたシートを示す平面図である。
【図２】図１に記載された展開図から立体形成された帽子型被り面を示す斜視図である。
【図３】図２に示す帽子型被り面に色彩及び模様が施された状態を示す斜視図である。
【図４】本発明の実施形態に係る帽子型被り面の装飾システムを示すブロック図である。
【発明を実施するための形態】
【００３０】
図１乃至図４を参照して、本発明の実施形態に係る帽子型被り面及び帽子型被り面の装飾システムについて説明する。
この帽子型被り面１０は、図１に示すように、一枚のシート１に記載された動物（ここでは猫）のキャラクターの展開図を切り抜きそして折り込むことで、図２に示すように、鼻１３が突出した顔部１１と左右２つの耳１４Ａ，１４Ｂが突出した頭部１２からなる猫のキャラクターが立体形成されてなるものであり、さらに色彩と模様（目，鼻，口，ひげの大きさ及び形状も模様に含む）を施すと図３に示すようになる。
【００３１】
シート１に記載される猫のキャラクターを模った帽子型被り面の展開図について手書きで記載することもできるが、本実施形態ではパソコンを使用して記載している。
また、シート１については、切り抜き及び折り曲げが可能なものであればどのようなものでもよいが、クラフトペーパーなどある程度、厚みのあるものが好ましい。ここでは、厚手のコピー紙を使用し、後述するようにプリントアウトしたものを立体形成するようにしている。
【００３２】
シート１には、図１に示すように、猫のキャラクターの展開図の外郭に沿った切り抜き線２１と、複数の谷折り線と複数の山折り線が記載されている。なお、ここでは切り抜き線２１は太い実線で、複数の山折り線については細い実線で、複数の谷折り線については破線で記載した。
【００３３】
この展開図について具体的に説明すると、展開図はシート１を縦方向（図１では紙面の上下方向）を左右に２等分する直線に対して対称に記載され、頭部１２は頭頂部１２Ａと後頭部１２Ｂからなるとともに、顔部１１には額１１Ａが形成されている。
切り抜き線２１は、シート１の四方いずれかの端部からはさみだけで容易に切り抜くことができるように記載され、特に分離するパーツはなく、しかもカッター等を使用して内部を刳り抜くような構成にはなっていない。
そして、頭部１２の左右の耳１４Ａ，１４Ｂの位置には、前後に延びる１本の耳用谷折り線２２Ａ，２２Ｂと２本の耳用山折り線２３Ａ，２３Ｂ，２４Ａ，２４Ｂからなる２つの耳用三角形４１，４２が耳用谷折り線２２Ａ，２２Ｂを内側にした状態で離して記載されている。また、顔部１１の鼻１３の位置には、左右に延びる１本の鼻用谷折り線２５と２本の鼻用山折り線２６，２７からなる１つの鼻用三角形４３が鼻用谷折り線２５を頭部１２側にした状態で記載されている。
ここでは、２本の耳用谷折り線２２Ａ，２２Ｂの長さはともに等しく、また４本の耳用山折り線２３Ａ，２３Ｂの長さはともに等しく、２４Ａ，２４Ｂの長さもともに等しく、これにより２つの耳用三角形４１，４２は同じ大きさ同じ形の三角形となっている（なお、ここでは２つの耳用三角形４１，４２は二等辺三角形であるがこれに限定されるものではない）。また、鼻用三角形４３は二等辺三角形で２本の鼻用山折り線２６，２７の長さは等しい。
【００３４】
また、頭頂部１２Ａは、顔部１１の額１１Ａとの境界となる頭頂部前側山折り線２８と、後頭部１２Ｂとの境界となる頭頂部後側山折り線２９と、２つの耳用三角形４１，４２を形成する２本の耳用谷折り線２２Ａ，２２Ｂで囲まれてなる四角形（ここでは、長方形としたが台形にすることもできる）である。
顔部１１に形成された額１１Ａは、頭頂部前側山折り線２８と、１つの鼻用三角形４３を形成する鼻用谷折り線２５と、頭頂部前側山折り線２８と鼻用谷折り線２５の端部同士を結んだ額用山折り線３０，３１で囲まれてなる四角形（ここでは、長方形としたが台形にすることもできる）である。
ここでは、額１１Ａと頭頂部１２Ａの左右方向の幅は等しいが、前後方向の長さは額１１Ａよりも頭頂部１２Ａの方が長く、これにより額１１Ａの大きさ（面積）より頭頂部１２Ａの大きさ（面積）を大きくしている。
【００３５】
また、切り抜き線２１のうち２つの耳用三角形４１，４２の左右外側に形成されたものは、２本の耳用山折り線２３Ａ，２３Ｂ，２４Ａ，２４Ｂの交点を屈曲点４４Ａ，４４Ｂとして左右外側に向かって拡開する略Ｖ字形状の切り抜き線２１であり、１つの鼻用三角形４３の前側外側に形成されたものも、２本の鼻用山折り線２６，２７の交点を屈曲点４５として前側外側に向かって拡開する略Ｖ字形状の切り抜き線２１である。
なお、これら略Ｖ字形状の切り抜き線２１の片側傾斜線には略Ｖ字形状の内側に向けて糊代部４６Ａ，４６Ｂ，４７がそれぞれ突設されている。
【００３６】
そして、切り抜き線２１に沿ってはさみを入れて、シート１から展開図を切り抜いた後、記載された谷折れ線及び山折れ線にしたがって折り曲げるとともに、糊代部４６Ａ，４６Ｂ，４７に接着剤を塗布しつつ、略Ｖ字形状の拡開した切り抜き線２１の部分をステープラで閉じることによって、図２に示すように立体化された帽子型被り面１０が完成する。このとき、略Ｖ字形状の拡開した切り抜き線２１の部分については接着剤を塗布することに併用してステープラを利用して固定することもできるし、接着剤なしにステープラだけで固定することもできる。また、テープで固定することも可能である。このときには、糊代部４６Ａ，４６Ｂ，４７については特に設ける必要はない。
【００３７】
なお、このように猫のキャラクターが立体形成されたとき、顔部１１において額１１Ａと鼻１３を除いた部分及び後頭部１２Ｂについては外側に向かって膨出湾曲した曲面になるように、展開図においても切り抜き線２１に丸みがつけられている。
【００３８】
そして、図２に示した帽子型被り面１０の各所に目，耳，鼻，口，ひげなどを直接、描くかあるいは、展開図の状態で対応する位置に予め描いておくことで、図３に示したような、猫の頭部を表現したキャラクターで人が被ることのできる帽子型被り面１０となる。本実施形態では、図４に示すように、パソコンを使用して展開図の状態で対応する位置に色彩及び目，口，ひげなどの模様を記載している。
【００３９】
次に、上述したようにパソコンを使用して色彩や模様を施すことのできる帽子型被り面の装飾システムについて説明する。
この帽子型被り面の装飾システムは、図４に示すように、全体を制御するＣＰＵからなる制御部１００と、画像等を表示するディスプレス１０１と、キーボードやマウスからなる操作部１０２と、制御プログラムや各種データを格納するＲＯＭやＲＡＭからなる記憶部１０３と、ディスプレイ１０１に表示された画像を出力するプリンタ（ここではカラープリンタを使用）１０４を主に備えている。
【００４０】
これによれば、制御部１００内の表示処理部が、一枚のシート１に記載される猫のキャラクターの展開図を、予め格納された記憶部１０３から読み出して、ディスプレイ１０１上に「てんかいず」として表示するとともに、その展開図から帽子型被り面の立体図を作成してその立体図についても「できあがり」として、「てんかいず」の横に並べて表示する。猫のキャラクターの展開図は、図１に示したように切り抜き線２１と複数の谷折り線及び山折り線とともに予め記憶部１０３に格納されていて、最初は色彩及び模様がない線図の状態で表示され、これに対応して作成される立体図も色彩及び模様がない線図の状態で表示される。また、制御部１００内の領域表示部によって、表示された展開図を複数の領域毎に仕切った状態で表示され、これに対応して立体図にも領域毎に仕切った状態が表示される。
【００４１】
このとき、ディスプレイ１０１上には、キャラクターの立体図に関する色彩及び模様の異なる複数（ここでは４個）のサンプル画像１１０と、複数の色が表示されたパレット１１１と、そのパレット１１１で選択された色を「えらんだいろ」として表示するエリア１１２と、模様の一つとして選択することで複数の目のかたちが表現されその一つを選択することができるメニューバー１１３と、その他の選択バー１１４（「印刷用バー」１１４ａ，出来上がり状態を表示するように指示する「出来上がりバー」１１４ｂ，色彩及び模様がない線図の状態で表示するように指示する「ぜんしろバー」１１４ｃ）と、切替えバー１１５が表示される。サンプル画像１１０は、制御部１００内のサンプル表示処理部によって、キャラクターのできあがり状態（立体図）を示す色彩及び模様の異なる４個のサンプル画像を、予め格納された記憶部１０３から読み出して選択可能に表示されたものである。
【００４２】
また、操作部１０２は色選択部，模様選択部，サンプル画像選択部，領域選択部としても機能し、例えば、操作部１０２のマウス（マウスにかえてキーボードでもよい）を使用してパレット１１１に表示された複数の色から一つの色を選択することができるし、４つのサンプル画像から一つのサンプル画像を選択することもできる。また、マウスでメニューバー１１３をクリックするとクリック毎に様々な目のかたちが表示選択することができるようになっていて、切替えバー１１５が押される毎にメニューバー１１３は「目のかたち」から「鼻のかたち」、次には「口のかたち」、「ひげのかたち」と変化し、それぞれ様々なかたちが表示される。さらに、マウスによって制御部１００内の領域処理部で表示された複数の領域のうちの一つの領域についても選択することができる。
【００４３】
そして、操作部１０２のマウスを介して、ディスプレイ１０１の「てんかいず」に表示された複数の領域から一つの領域が選択されるとともに、パレット１１１から一つの色が選択されると、制御部１００内の色彩編集処理部は、選択された一つの領域の元の色をパレット１１１上で選択された一つの色に変更してディスプレイ１０１上に変更後の色を表示させる。「てんかいず」については、最初は色彩及び模様がない線図の状態で表示されているので、マウスで選択された領域がパレット１１１から選択された色（例えば黄色）に変えられ、次に同じ領域がマウスで選択されパレット１１１から異なる色（例えば青色）が選択されると、その選択された領域の色は当初の黄色から青色に更新されるようになっている。その後、マウスによって「出来上がりバー」１１４ｂが押されると、制御部１００の表示処理部によって、色彩が更新された展開図から同じく色彩が更新された後の帽子型被り面の立体図が作成され、その作成された立体図が更新展開図に並んで表示される。
【００４４】
この状態で「印刷用バー」１１４ａが押されると、更新展開図だけが印刷されたシート１が出力装置として機能するカラープリンタ１０４から出力される。
出力されたシート１は、その後、上述したように、切り抜き線２１に沿ってはさみを入れて、シート１から展開図を切り抜き、谷折れ線及び山折れ線にしたがって折り曲げられた後、接着剤とステープラを使用して立体化された帽子型被り面１０とされる。
【００４５】
また、目、鼻、口、ひげのかたちについても様々な形状、模様のものを表示選択できるようになっている。これらについては、特に指定がなければ図４に示したようなものが表示されるが、「印刷用バー」１１４ａが押される前に、マウスでメニューバー１１３をクリックすることで様々な目のかたちを選択することが可能で、目のかたちが選択されると、制御部１００内の模様編集処理部は、選択された一つの目のかたち（模様）を、展開図において指定された位置、ここでは予め決められた目の位置に付けて表示し、これが立体図にも反映され、その後、「印刷用バー」１１４ａが押されると異なる目のかたちが表示されたシート１がプリントアウトされる。
同様に、マウスで切替えバー１１５が押されると、ここでは図示しないが、「鼻のかたち」、「口のかたち」、「ひげのかたち」とメニューバー１１３は変化して様々なかたちに選択可能となり、制御部１００内の模様編集処理部は、展開図において予め決められた鼻、口、ひげの位置に選択されたかたちのものを付けて表示し、これが立体図にも反映され、その後、「印刷用バー」１１４ａが押されると異なる鼻、口、ひげのかたちが表示されたシート１がプリントアウトされるようになっている。
【００４６】
なお、ここでは目、鼻、口、ひげについては、展開図において予め決められた目、鼻、口、ひげの位置に選択されたものを表示するようにしたが、色彩と同様に、マウスで指定された領域あるいは位置に選択された目、鼻、口、ひげのかたちを表示させることもできるし、例えば、切替えバー１１５を押すことで「ひげのかたち」の次には様々な模様など、例えば、ハート型、星型などの模様やイラスト、あるいは猫の名前などを示した文字などを任意に表示選択できるようにし、選択された模様などを指定された位置に表示するようにしてもよい。
【００４７】
また、複数のサンプル画像１１０のうち一つのサンプル画像１１０がマウスで選択されると、制御部１００内のサンプル編集処理部は、表示された展開図を選択されたサンプル画像１１０の展開図に変更してディスプレイ１０１上に表示し、これが立体図にも反映され、その後、「印刷用バー」１１４ａが押されると選択されたサンプル画像が表示されたシート１がプリントアウトされる。
【００４８】
このような帽子型被り面の装飾システムによれば、一枚のシート１を切り抜き折り曲げることで立体的に形成される造形物に対して、色彩及び目、鼻、口、ひげなどの形状を含む模様を展開図の段階で様々選択することができるので、色彩及び模様についてユーザーの好きなものにすることができる。
特に本実施形態では、キーボードを使用することなく、また低年齢者には難しいマウスのドラッグを使用することなくマウスのクリックだけで操作するようにしたので例えば幼児など低年齢者にとっても十分操作することができる。
【００４９】
また、ディスプレイ１０１の一つの画面内に、帽子型被り面の展開図と、その展開図からの完成形状を示す立体図と、色彩と模様を選択するための表示バー（サンプル画像１１０、パレット１１１、メニューバー１１３など）を納めて同時に表示するようにしたので、プルダウンメニューやポップアップメニューのように複雑なウィンドウが何枚も新たに開くことはなく操作全体を一目で把握することができる。
【００５０】
なお、本実施形態では、制御部１００内の色彩編集処理部は、操作部１０２のマウスを介して、ディスプレイ１０１の「てんかいず」に表示された複数の領域から一つの領域が選択されるとともに、パレット１１１から一つの色が選択されると、選択された一つの領域の元の色をパレット１１１上で選択された一つの色に変更してディスプレイ１０１上に変更後の色を表示させるようにしたが、マウスで選択された一つの領域に対して、再度マウスでクリックするごとに、すなわちマウスによるクリックの回数に対応して、パレット１１１で表示される複数の色の中から異なる色を自動的に選択して、選択された一つの領域の元の色を自動的に選択された色に変更してディスプレイ１０１上に表示させるようにしてもよい。これによれば、ユーザーはパレット１１１をクリックすることでそこから色を選択する必要がなく、展開図上の領域だけをマウスでクリックするだけで異なる色彩を施すことができるので操作は一層簡単である。
【００５１】
また、本実施形態ではパソコンを使用した帽子型被り面の装飾システムについて説明したが、タブレット端末やスマートフォンなどの電子機器端末を使用するものでもよい。
また、猫のキャラクターを例に説明したが、アニメ登場者やその他の動物のキャラクターで特に鼻が突出した顔部と左右２つの耳が突出した頭部からなるキャラクターであれば適用可能である。さらに、帽子型被り面１０については人が被ることのできるだけでなく、立て掛けることで装飾品にもなる。
【符号の説明】
【００５２】
１      シート
１１      顔部
１１Ａ    額
１２      頭部
１２Ａ    頭頂部
１２Ｂ    後頭部
１３      鼻
１４Ａ，１４Ｂ      耳
２１      切り抜き線
２２Ａ，２２Ｂ    耳用谷折り線
２３Ａ，２３Ｂ，２４Ａ，２４Ｂ    耳用山折り線
２５    鼻用谷折り線
２６，２７    鼻用山折り線
２８    頭頂部前側山折り線
２９    頭頂部後側山折り線
３０，３１    額用山折り線
４１，４２    耳用三角形
４３    鼻用三角形
４４Ａ，４４Ｂ    屈曲点
４５    屈曲点
４６Ａ，４６Ｂ，４７    糊代部
１００    制御部（領域表示部，色彩編集処理部，模様編集処理部，サンプル編集処理部）
１０１    ディスプレイ（画面）
１０２    操作部（色選択部，模様選択部）
１０３    記憶部
１０４    プリンタ（出力装置）
１１０    サンプル画像
１１１    パレット
１１２    エリア
１１３    メニューバー
１１４    選択バー
１１４ａ    印刷用バー
１１４ｂ    出来上がりバー
１１４ｃ    ぜんしろバー
１１５    切替えバー
【図１】
2015142689.tif 000003
【図２】
2015142689.tif 000004
【図３】
2015142689.tif 000005
【図４】
2015142689.tif 000006